(57)【要約】本発明は血圧計用接続システムに関しており、該システムは、−診察および／または監視すべき患者の肢の上に位置づけられるように適合された膨張式カフであって、該カフは膨張式袋を有する、−第一の端および第二の端を有する柔軟な管状のチューブであって、第一の端はカフの膨張式袋と流体連通する、−動脈圧を測定するための圧力計と結びついた膨張用送気球によって形成される圧力計一体型送気球、−チューブの第二の端を前記圧力計一体型送気球に接続するために圧力計一体型送気球内に取り付けられる接続機構であって、前記チューブは前記圧力計一体型送気球とカフ（１）との間の直接の連絡を保証するように適合されるようになる、−チューブの第二の端は雄型ノズルを有し、また接続機構は前記雄型ノズルを取外し可能に受け入れるための雌型の接続用孔を有する、を含み、−接続機構が、チューブの雄型ノズル上に整備される相補的部分と磁化によって協働する部分を含むこと、−部分のうちの少なくとも１つが、磁化を保証する永久磁石を組み込むこと、を特徴とする。【選択図】図４
2022502188.tif 000002
【特許請求の範囲】
【請求項１】
血圧計用接続システムであって以下、
−診察および／または監視すべき患者の肢の上に位置づけられるように適合された膨張式カフ（１）であって、該カフは、膨張式袋を有する、
−第一の端（４ａ）および第二の端（４ｂ）を有する柔軟な管状のチューブ（４）であって、第一の端（４ａ）は、カフ（１）の膨張式袋と流体連通する、
−動脈圧を測定するための圧力計（５）と結びついた膨張用送気球（３）によって形成される圧力計一体型送気球（ＭＰ）、
−チューブ（４）の第二の端（４ｂ）を前記圧力計一体型送気球（ＭＰ）に接続するために圧力計一体型送気球（ＭＰ）内に取り付けられる接続機構（６）であって、前記チューブは、前記圧力計一体型送気球（ＭＰ）とカフ（１）との間の直接の連絡を保証するように適合されるようになる、
−チューブ（４）の第二の端（４ｂ）は、雄型ノズル（４１）を有し、また接続機構（６）は、前記雄型ノズルを取外し可能に受け入れるための雌型の接続用孔（６０）を有する、
を含み、
−接続機構（６）が、チューブ（４）の雄型ノズル（４１）上に整備される相補的部分（４５）と磁化によって協働する部分（６５）を含むこと、
−部分（４５、６５）のうちの少なくとも１つが、磁化を保証する永久磁石を組み込むこと、
を特徴とする血圧計用接続システム。
【請求項２】
−接合用ブロック（７）が圧力計一体型送気球（ＭＰ）の中に取り付けられ、該接合用ブロックが、膨張用送気球（３）と、圧力計（５）と、バルブ（３１）の制御装置（３０）と、接続機構（６）との間の流体連通を保証するように適合されており、
−接続機構（６）が、接合用ブロック（７）の一端の中に挿入される、境界面の嵌め込み部品である、
請求項１に記載のシステム。
【請求項３】
−接合用ブロック（７）が圧力計一体型送気球（ＭＰ）の中に取り付けられ、該接合用ブロックが、膨張用送気球（３）と、圧力計（５）と、バルブ（３１）の制御装置（３０）と、接続機構（６）との間の流体連通を保証するように適合されており、
−接続機構（６）が、接合用ブロック（７）の不可欠な一部を成し、接合用ブロックとともに単一成型部品を形成する、
請求項１に記載のシステム。
【請求項４】
接続機構（６）の部分（６５）がフランジの形をしている、請求項１から３のいずれか一つに記載のシステム。
【請求項５】
チューブ（４）の雄型ノズル（４１）上に整備される相補的部分（４５）がフランジの形をしており、該フランジが、前記チューブの外側に配置され、また前記チューブの第二の端（４ｂ）に寄りかかるようになる、請求項１から４のいずれか一つに記載のシステム。
【請求項６】
雄型ノズル（４１）のフランジ（４５）が、前記雄型ノズルが前記接続機構の雌型の孔（６０）の中に接続されるとき、接続機構（６）のフランジ（６５）に寄りかかるようになる、請求項４または５に記載のシステム。
【請求項７】
−接続機構（６）の部分（６５）が永久磁石を組み込み、
−雄型ノズル（４１）上に整備される相補的部分（４５）が強磁性材料を組み込む、
請求項１から６のいずれか一つに記載のシステム。
【請求項８】
−接続機構（６）の部分（６５）が強磁性材料を組み込み、
−雄型ノズル（４１）上に整備される相補的部分（４５）が永久磁石を組み込む、
請求項１から６のいずれか一つに記載のシステム。
【請求項９】
接続機構（６）の部分（６５）、および雄型ノズル（４１）上に整備される相補的部分（４５）がそれぞれ永久磁石を組み込み、前記永久磁石が、それらの逆の性質の極が向かい合って引きつけ合うように案配される、請求項１から６のいずれか一つに記載のシステム。
【請求項１０】
雄型ノズル（４１）上に整備される相補的部分（４５）が、前記雄型ノズルに連動する嵌め込み部品である、請求項１から９のいずれか一つに記載のシステム。
【請求項１１】
雄型ノズル（４１）上に整備される相補的部分（４５）が、前記雄型ノズルの不可欠な一部を成し、雄型ノズルとともに単一成型部品を形成する、請求項１から９のいずれか一つに記載のシステム。
【請求項１２】
−接合用ブロック（７）が圧力計一体型送気球（ＭＰ）の中に取り付けられ、該接合用ブロックが、膨張用送気球（３）と、圧力計（５）と、バルブ（３１）の制御装置（３０）と、接続機構（６）との間の流体連通を保証するように適合されており、
−接合用ブロック（７）が、チューブ（４）の雄型ノズル（４１）と協働する気密パッキン（７３）を備えており、前記雄型構成要素と前記接合用ブロックとの間の気密性を保証するようになっている、
請求項１から１１のいずれか一つに記載のシステム。
【請求項１３】
接続機構（６）の雌型の接続用孔（６０）が、チューブ（４）の雄型ノズル（４１）と協働する気密パッキン（７３）を備えており、前記雄型構成要素と前記雌型孔との間の気密性を保証するようになっている、請求項１から１１のいずれか一つに記載のシステム。
【請求項１４】
チューブ（４）の雄型ノズル（４１）が、気密構成要素のない外面壁を有する、請求項１から１３のいずれか一つに記載のシステム。
【請求項１５】
−接続機構（６）がカフ（１）の中に取り付けられて、チューブ（４）の第一の端（４ａ）を前記カフに接続するようになっており、
−チューブ（４）の第一の端（４ａ）が、雄型ノズル（４１）を有し、またカフ（１）の接続機構（６）が、前記雄型ノズルを取外し可能に受け入れるための雌型の接続用孔（６０）を有し、
−カフ（１）の接続機構（６）が、チューブ（４）の第一の端（４ａ）の雄型ノズル（４１）上に整備される相補的部分（４５）と磁化によって協働する部分（６５）を含み、
−前記部分（４５、６５）のうちの少なくとも１つが、磁化を保証する永久磁石を有する、
請求項１から１４のいずれか一つに記載のシステム。
【発明の詳細な説明】
【技術分野】
【０００１】
本発明は、血圧計用接続システムを対象としている。
【０００２】
本発明は、医療装置の技術分野、またより詳細には血圧を測定することを可能にする装置の技術分野に関している。
【背景技術】
【０００３】
動脈圧（または血圧）の測定は、医師によって行われる最も一般的な測定のうちの一つである。迅速かつ正確な測定はそれゆえに、医師にとってにせよ患者にとってにせよ有益である。そのような測定を行うための好ましい方法は依然として、血圧測定器（または血圧計）の利用である。
【０００４】
図１に関連しながら、この動脈圧測定は一般的に、以下の助けを借りて行われる：
−診察および／または監視すべき患者の肢（ここでは上腕）の周りに位置づけられるように適合された膨張式カフ１であって、該カフは、膨張式袋を有する、
−測定システムであって、例えば、カフ１に結ばれる動脈圧読み取り用圧力計２のような測定システム、
−膨張式送気球３であって、柔軟な管状のチューブ４によってそれ自体がカフ１に結ばれるものであり、前記カフ内の空気圧を上昇させるのに役立つ。この送気球３は一般的にバルブを備えており、バルブの制御装置３０は、圧力を検査することおよび測定を行うように徐々に圧力を低下させることを可能にする。
【０００５】
さまざまなタイプの血圧計が開発されてきており、そのうちの一つが図１で示されている圧力計一体型送気球（ｍａｎｏ−ｐｏｉｒｅ）ＭＰタイプである。圧力計５および膨張用送気球３は、一つにまとまっている。柔軟な管状のチューブ４は、カフの膨張を保証するために、圧力計一体型送気球ＭＰをカフ１に結ぶ。
【０００６】
カフ１は、その膨張式袋が動脈のところに位置決めされるように、肢の周りに位置決めされなければならない。袋は膨張して、まず初めにカフ１の圧力を収縮期血圧より高い値に導いて肢の中の動脈循環を止める。制御装置３０を調節することによって、カフ１の圧力は次に徐々に低下し、動脈圧が動脈内に血液を再び通すのに十分となる閾値にまで達する。それは収縮期血圧である。空気が抜かれ続けると、カフ１の圧力は、心臓が拡張期のときでも動脈流に対する妨害がもはやない値に導かれる。これは拡張期血圧である。
【０００７】
不正確な動脈圧測定に導き得る多数の原因が存在する。利用する血圧計の選択はそれゆえに、診断を誤らないために最も重要である。
【０００８】
圧力計一体型送気球ＭＰの人間工学および／または圧力計５の表示システム（指針目盛盤、デジタル表示、等）は、メーカーによってまたは圧力計一体型送気球のモデルに応じて変わることができる。同様に、カフ１の寸法は、患者の肢の外形またとりわけ肢の周囲に見合わなければならない。窮屈すぎるカフは、動脈圧を過大に見積もり、またゆったりしすぎるカフは、動脈圧を過小に見積もるであろう。これらの２つの場合において、得られる動脈圧値は、代表となるものではないので、正しい診断を行うことを可能にしない。利用するカフのサイズの選択はしたがって、診断を誤らないために最も重要である。したがって医師が、その必要に応じて圧力計一体型送気球および／またはカフを容易に変えることができることは有利であると思われる。
【０００９】
仏国特許出願公開第３０５１３４７号明細書（ＳＰＥＮＧＬＥＲ）によって、以下を含む血圧計用接続システムが知られている：
−膨張式カフ、
−第一の端および第二の端を有する柔軟な管状のチューブであって、第一の端は、カフの膨張式袋と流体連通する、
−圧力計一体型送気球、
−柔軟なチューブの第二の端を前記圧力計一体型送気球に接続するために圧力計一体型送気球内に取り付けられる接続機構、
−チューブの第二の端は、雄型ノズルを有し、また接続機構は、前記雄型ノズルを取外し可能に受け入れるための雌型の接続用孔を有する、
−雄型ノズルは、長手方向に間隔をあけて複数の環状パッキンを有し、該パッキンは、気密性を作り上げるために雌型の接続用孔の内面壁と協働する。
【００１０】
そのような接続システムは、取替え可能な機器構成を有する血圧計を得ることを可能にする。医師は今では、同じカフを利用しつつ圧力計一体型送気球を変えること、または患者の体形に適合するためにその逆のことが非常に容易にできるようになっている。しかしながら実際には、雌型の接続用孔の中への雄型ノズルの接続は、比較的時間がかかり得る。さらに、チューブを時ならず引き抜いてしまうことによりケーブルの接続を切断してしまうこともありうる。この接続はそのうえ、雄型ノズル上の環状パッキンの存在およびそれらが発生させる摩擦が原因で困難であることが明らかになり得る。そのうえ、これらのパッキンは、雄型ノズルが雌型の接続用孔の中に接続されておらずに外的環境中で自由なまま放置されていると破損が進む可能性があり、このことによりいずれは気密性の問題が生じ得る。
【先行技術文献】
【特許文献】
【００１１】
【特許文献１】仏国特許出願公開第３０５１３４７号明細書
【発明の概要】
【発明が解決しようとする課題】
【００１２】
本発明の一目的は、圧力計一体型送気球および／またはカフをさらにいっそう迅速に変えるように、圧力計一体型送気球の接続機構と柔軟なチューブの第二の端との間の組立てを容易にする血圧計用接続システムを提案することである。
【００１３】
本発明の別の目的は、設計がとりわけ頑丈な血圧計用接続システムを提案することである。
【００１４】
本発明のさらに別の目的は、設計が単純であまり費用のかからない、簡単に利用できる血圧計用接続システムを提案することである。
【課題を解決するための手段】
【００１５】
本発明によって提案される解決案は、以下を含む血圧計用接続システムである：
−診察および／または監視すべき患者の肢の上に位置づけられるように適合された膨張式カフであって、該カフは、膨張式袋を有する、
−第一の端および第二の端を有する柔軟な管状のチューブであって、第一の端は、カフの膨張式袋と流体連通する、
−動脈圧を測定するための圧力計と結びついた膨張用送気球によって形成される圧力計一体型送気球、
−チューブの第二の端を前記圧力計一体型送気球に接続するために圧力計一体型送気球内に取り付けられる接続機構であって、前記チューブは、前記圧力計一体型送気球とカフとの間の直接の連絡を保証するように適合されるようになる、
−チューブの第二の端は、雄型ノズルを有し、また接続機構は、前記雄型ノズルを取外し可能に受け入れるための雌型の接続用孔を有する。
【００１６】
このシステムは、以下の点において注目すべきである：
−接続機構が、チューブの雄型ノズル上に整備される相補的部分と磁化によって協働する部分を含むという点、
−部分のうちの少なくとも１つが、磁化を保証する永久磁石を組み込むという点。
【００１７】
チューブと圧力計一体型送気球との間の磁化接続は、圧力計一体型送気球および／またはカフを非常に簡単にかつ非常に迅速に変えることを可能にする、単純かつ確固とした解決案を提供する。磁力はそのうえ、ケーブルの時ならぬ接続切断リスクを減らすことを可能にする。
【００１８】
本発明の他の有利な特徴は、以下に述べられている。これらの特徴のうちのそれぞれは、単独と考えられることもできるしまたは上に定義された注目すべき特徴と組み合わせられると考えられることもでき、また必要があれば単数または複数の分割特許出願の対象になることができる：
−一実施形態によると、接合用ブロックは、圧力計一体型送気球の中に取り付けられ、該接合用ブロックは、膨張用送気球と、圧力計と、バルブの制御装置と、接続機構との間の流体連通を保証するように適合されている。接続機構は、接合用ブロックの一端の中に挿入される、境界面の嵌め込み部品である、
−一実施変形例によると、接合用ブロックは、圧力計一体型送気球の中に取り付けられ、該接合用ブロックは、膨張用送気球と、圧力計と、バルブの制御装置と、接続機構との間の流体連通を保証するように適合されている。接続機構は、接合用ブロックの不可欠な一部を成し、接合用ブロックとともに単一成型部品を形成する、
−接続機構の部分は有利には、フランジの形をしている、
−チューブの雄型ノズル上に整備される相補的部分は有利には、フランジの形をしており、該フランジは、前記チューブの外側に配置され、また前記チューブの第二の端に寄りかかるようになる、
−雄型ノズルのフランジは有利には、前記雄型ノズルが前記接続機構の雌型の孔の中に接続されるとき、接続機構のフランジに寄りかかるようになる、
−一実施形態によると、接続機構の部分は、永久磁石を組み込む。また雄型ノズル上に整備される相補的部分は、強磁性材料を組み込む、
−一実施変形例によると、接続機構の部分は、強磁性材料を組み込む。また雄型ノズル上に整備される相補的部分は、永久磁石を組み込む、
−別の実施変形例によると、接続機構の部分、および雄型ノズル上に整備される相補的部分はそれぞれが、永久磁石を組み込み、前記永久磁石は、それらの逆の性質の極が向かい合って引きつけ合うように案配される、
−雄型ノズル上に整備される相補的部分は有利には、前記雄型ノズルに連動する嵌め込み部品である、
−一実施変形例によると、雄型ノズル上に整備される相補的部分は、前記雄型ノズルの不可欠な一部を成し、雄型ノズルとともに単一成型部品を形成する、
−一実施形態によると、接合用ブロックは、圧力計一体型送気球の中に取り付けられ、該接合用ブロックは、膨張用送気球と、圧力計と、バルブの制御装置と、接続機構との間の流体連通を保証するように適合されている。この接合用ブロックは、チューブの雄型ノズルと協働する気密パッキンを備えており、前記雄型構成要素と前記接合用ブロックとの間の気密性を保証するようになっている、
−一実施変形例によると、接続機構の雌型の接続用孔は、チューブの雄型ノズルと協働する気密パッキンを備えており、前記雄型構成要素と前記雌型孔との間の気密性を保証するようになっている、
−チューブの雄型ノズルは有利には、気密構成要素のない外面壁を有する、
−接続機構は有利には、カフの中に取り付けられて、チューブの第一の端を前記カフに接続するようになっている。チューブの第一の端は、雄型ノズルを有し、またカフの接続機構は、前記雄型ノズルを取外し可能に受け入れるための雌型の接続用孔を有する。カフの接続機構は、チューブの第一の端の雄型ノズル上に整備される相補的部分と磁化によって協働する部分を含む。前記部分のうちの少なくとも１つは、磁化を保証する永久磁石を有する。
【００１９】
本発明の他の利点および特徴は、説明に役立つ非制限例として実現される以下のような付属の図面を参照して、続いていく好ましい実施形態の説明を読むことによって、よりよく明らかになるであろう。
【図面の簡単な説明】
【００２０】
【図１】カフが患者の上腕に設置された、本発明によるシステムの概略図である。
【図２】圧力計一体型送気球への、チューブの第二の端の接続を示している斜視図である。
【図３】本発明による血圧計の垂直断面概略図である。
【図４】チューブの雄型ノズルと圧力計一体型送気球の中に取り付けられた接続機構との断面図である。
【図５】図４の接続用構成要素を分解して示している。
【図６ａ】一実施変形例における、チューブの雄型ノズルと圧力計一体型送気球内に取り付けられた接続機構との断面図である。
【図６ｂ】別の実施変形例における、チューブの雄型ノズルと圧力計一体型送気球内に取り付けられた接続機構との断面図である。
【図７】本発明によるチューブの２つの端の概略図である。
【図８】カフが患者の上腕に設置された、本発明によるシステムの一実施変形の概略図である。
【図９】カフへの、チューブの第一の端の接続を示している斜視図である。
【発明を実施するための形態】
【００２１】
図１に関連しながら、本発明の対象になるシステムは、以下の構成要素を有する：
−診察および／または監視すべき患者の上腕に位置づけられるように適合された膨張式カフ１であって、該カフは、膨張式袋を有する、
−カフ１の膨張を保証するために柔軟な管状のチューブ４と結びついた、膨張用送気球のような、膨張手段３、
−患者の収縮期動脈圧および拡張期動脈圧を測定するための圧力計５であって、該圧力計は、圧力計一体型送気球ＭＰを形成するために、膨張用送気球３に結びついている。
【００２２】
図１で、カフ１は、いくつかの血圧測定を行うように、患者の上腕の周りの動脈のところに設置されている。柔軟なチューブ４は、カフ１の膨張のための空気を導くことを可能にする。カフ１は、膨張するとき、カフの下に位置づけられている動脈を締めつける。血液が動脈内を通る際に血液が発する音を聴診器を使って聞くことによって、２つの動脈圧値が測定される。たとえば、カフ１が動脈を圧迫するのに十分に膨張しているとき、血液はもはや通ることができず、また医師は音を知覚しない。カフ１は次に徐々に空気が抜け、収縮期動脈圧（最大血圧）を定義する心臓の鼓動の音を知覚することを可能にする。この音は増大しついで消失し、測定される圧力はそのとき拡張期動脈圧（最小血圧）に相当する。
【００２３】
カフ１は、異なる体形および異なる上腕直径の患者に適合することができるように、様々なサイズであり得る。カフは例えば４０ｃｍと１００ｃｍとの間に含まれる長さを有し、幅は５ｃｍと３０ｃｍとの間で異なり得る。カフ１は、従来の仕方で製造され、また膨張式袋を有する。カフは、膨張式袋を画定する二重壁を伴う、ただ一つの布片で製造されることができ、また例えばポリエチレンあるいはまたポリウレタンといった、ポリマーまたはエラストマーのような防水の柔軟な可塑性材料で製作されることができる。カフは好ましくは、熱可塑性材料で製造される。カフ１はまた、綿のような、非防水の繊維製の２つの壁によって形成されることもでき、それらの壁は、膨張式袋が中に収容される袋を画定し、該膨張式袋は、ポリマーまたはエラストマーのような防水の柔軟な可塑性材料で製作される。
【００２４】
膨張手段３は、カフ１の膨張式袋の中に空気を注入してカフを膨張させることを可能にする。図１で、この膨張手段３は好ましくは膨張用送気球の形をしており、該送気球は、先行技術で知られている血圧計システムにおいて通常利用されるタイプである。チューブ４の中に空気を注入してカフ１を膨張させるために、医師が送気球３に相次ぐ圧力を手でかけるだけでよい。送気球３は、カフ１の膨張式袋の排気弁または排気バルブの制御機構３０に結びついている。この機構３０の運転操作は、収縮期血圧を決定するために膨張したカフ１の圧力を次第に減らすことをとりわけ可能にする。この機構３０は、刻み付き回転ノブまたは押しボタンの形をしていることができる。
【００２５】
図１に示されている圧力計５は、動脈圧を表示するために、読取り用目盛盤の目盛り５２と協働する指針５０を有する。圧力計５はしかしながら、デジタル表示画面を備えることができる。
【００２６】
管状のチューブ４は、例えばポリエチレン、ポリスチレンといった柔軟な材料で、または当業者に都合のよい他のあらゆる可塑性材料で製作される。管状のチューブは、０．２ｃｍから２ｃｍの間で異なり得る直径と、２０ｃｍと２ｍとの間に含まれる長さとをもつ。管状のチューブは、第一の端４ａと第二の端４ｂとを有する。第一の端４ａは、カフ１の膨張式袋と流体連通する。この第一の端４ａは、カフ１の膨張式袋に直接溶接されることができ、接続切断の可能性はない。
【００２７】
図１は、圧力計５が膨張用送気球３に結びついて圧力計一体型送気球ＭＰを形成している機器構成を概略的に表している。この単一の装置ＭＰは、当業者に知られている。圧力計一体型送気球ＭＰは、送気球３から前記カフの膨張式袋の内部まで空気が流れることを可能にするチューブ４によって、カフ１に結ばれる。
【００２８】
システムは、雄型ノズルと雌型孔との形をした整備部から成る、クイック組立型の取外し可能な接続手段を有する。
【００２９】
図２から図７で、チューブ４は、少なくとも第二の端４ｂにまた好ましくはその端４ａおよび４ｂのそれぞれに位置する接続手段４０を有する。これらの接続手段４０は、圧力計一体型送気球ＭＰにまた場合によってはカフ１にチューブ４を連結することをとりわけ可能にする。
【００３０】
図７で、チューブ４は、各端４ａ、４ｂに雄型ノズル４１を有している。これらの雄型ノズル４１は、圧力計一体型送気球ＭＰにまた場合によってはカフ１に位置する、本明細書中のより前の方に記述された相補的な雌型の接続用孔６０の中に挿入されるように適合されている。
【００３１】
より具体的には図４に関連しながら、接続手段４０は、外側の雄型ノズル４１と内側の雄型ノズル４２とで形成されており、これらの２つのノズルは、部分４５によって結ばれており、該部分は好ましくはフランジの形をしている。このフランジの形はとりわけ接続手段４０の取扱いを容易にし、またその設計を単純化する。本明細書の続きにおいて、用語「フランジ（ｃｏｌｌｅｒｅｔｔｅ）」は、「部分（ｐｏｒｔｉｏｎ）」の同義語として使用される。
【００３２】
その設計をいっそう単純化するために、この接続手段４０は有利には、一続きで製造されることができる。フランジ４５は特に、外側の雄型ノズル４１（また必要があれば内側の雄型ノズル４２）の不可欠な一部を成し、前記外側の雄型ノズルと単一成型部品を形成する（図６ｂ）。
【００３３】
ノズル４１、４２およびフランジ４５は、例えば鋼といった強磁性材料、または磁石によって引きつけられることのできる他のあらゆる材料で製造されることができる。一実施変形例において、ノズル４１、４２およびフランジ４５は、永久磁石を形成するために磁性材料で製造される。好ましくは、ネオジム鉄ボロン、サマリウムコバルト、アルニコ、ハードフェライト、マグネタイトを主成分とする合金、のグループの磁性材料が利用される。
【００３４】
図４および図５で、接続手段４０は、２つのパーツに製造され、フランジ４５は、外側の雄型ノズル４１に連動する嵌め込み部品である。この連動は例えば接着、ねじ留め、または力ずくでの嵌め合わせによって実現される。この解決案は、例えばノズル４１、４２についてＡＢＳのようなプラスチックまたフランジ４５について強磁性材料または磁性材料といった、はっきり異なる２つの材料を利用することができるという利点を有する。フランジ４５は、磁性材料で製作されるとき、完全に永久磁石となる。
【００３５】
図６ａで、フランジ４５は、単数もしくは複数の強磁性構成要素または単数もしくは複数の永久磁石が中に設置される整備部４５０を有する。フランジ４５はこの場合、例えばＡＢＳのようなプラスチックで製作され得る。
【００３６】
ノズル４１、４２およびフランジ４５は、空気の循環を許可するパイプ４３を形成するように軸に沿って穿孔されている。
【００３７】
外側の雄型ノズル４１は好ましくは、円筒の形をしている。この円筒は例えば、０．１５ｃｍと２ｃｍとの間に含まれる外径と、例えば０．５ｃｍと２ｃｍとの間に含まれる長さとを有する。ノズル４１の外面壁は、平滑で、一定で、気密構成要素がない。
【００３８】
内側の雄型ノズル４２は好ましくは、外側の雄型構成要素４１を形成する円筒に類似した円筒の形をしている。この円筒は例えば、０．１５ｃｍと２ｃｍとの間に含まれる直径と、例えば０．５ｃｍと２ｃｍとの間で異なり得る長さとを有する。
【００３９】
内側の雄型ノズル４２は、接続手段４０が管状のチューブに連動するように、管状のチューブ４のそれぞれの端４ａ、４ｂの中に気密に挿入されるように適合されている。この内側の雄型ノズル４２は、チューブ４の内面壁と協働する少なくとも１つの留め具用つば４４を有する。この留め具用つば４４は、管状のチューブ４の中に該ノズルを力ずくで挿入することを可能にし、またこうして接続手段４０と前記チューブとの間の気密性を保証することを可能にする。有利には少なくとも２つのつば４４、また好ましくは少なくとも４つの留め具用つば４４が、ノズル４２の円筒の周りに配置される。実際には、つば４４の外径はチューブ４の内径をわずかに（例えば１ｍｍ）上回って内側の雄型ノズル４２の力ずくでの挿入とチューブ４の内面壁の塑性変形とを保証し、該変形は気密性を保証する。
【００４０】
フランジ４５は、チューブ４の外側に配置され、またチューブのそれぞれの端４ａ、４ｂに寄りかかるようになる。フランジ４５は例えば、チューブ４の外径に相当する外径をもつ円筒の形をしており、その長さは例えば０．５ｃｍと１ｃｍとの間に含まれる。
【００４１】
図３に関連しながら、接続機構６は、チューブ４の第二の端４ｂを圧力計一体型送気球に接続するために前記圧力計一体型送気球ＭＰ内に取り付けられ、前記チューブは前記圧力計一体型送気球とカフ１との間の直接の連絡を保証するように適合されるようになる。雌型の孔６０は、この接続機構６の中に実現され、また雄型ノズル４１を取外し可能に受け入れるように適合されている。図３で明らかになるように、雌型の孔６０の入口は、その軸Ｙ−Ｙが前記圧力計一体型送気球の長手方向軸Ａ−Ａと直角に交わるように、圧力計一体型送気球ＭＰの側面縁内に好ましくは整備される。本出願人は、この方向づけがチューブ４のより容易な連結を可能にすることを確認した。
【００４２】
図４で、雌型の孔６０は、外側の雄型構成要素４１の構造に適合した円筒形の内面壁を有している。より具体的には、外側の雄型ノズル４１の円筒は、雌型の孔６０の内径に調整される外径を有する。「調整される」とは、雌型の孔６０の内径が、外側の雄型ノズル４１を形成する円筒の外径にほぼ等しいこと、また好ましくは前記ノズル４１の挿入時の摩擦を回避するためにわずかに（例えば０．５ｍｍ）上回ることを意味する。雌型の孔６０は例えば、０．１５ｃｍと２ｃｍとの間に含まれる内径と、外側の雄型ノズル４１を形成する円筒の長さにほぼ相当する長さとを有し、前記雄型ノズルはしかしながら、前記雌型の孔６０を通り越すようにわずかに長めである（図３）。
【００４３】
接続機構６は、雄型ノズル４１上に整備される相補的部分４５と協働する部分６５を含む。部分６５は有利には、フランジの形をしている。
【００４４】
図２で示されているように、このフランジ６５は、圧力計一体型送気球ＭＰの壁の上に位置しており、またしたがって非常に近づきやすい。フランジ６５は例えば、フランジ４５の外径に相当する外径をもつ円筒の形をしており、その長さは例えば０．５ｃｍと１ｃｍとの間に含まれる。雄型ノズル４１が雌型の孔６０の中に接続されるとき、フランジ４５、６５は、互いに寄りかかり合う。
【００４５】
フランジ６５は、強磁性材料または磁性材料で製作されることができる。フランジ４５は、磁性材料で製作されるとき、完全に永久磁石となる。
【００４６】
図６ａで、フランジ６５は、単数もしくは複数の強磁性構成要素または単数もしくは複数の永久磁石が中に設置される整備部６５０を有する。フランジ６５はこの場合、例えばＡＢＳのようなプラスチックで製作され得る。
【００４７】
チューブ４の接続手段４０と接続機構６との間の効果的な接続を保証するために、部分４５および部分６５は、磁化によって協働する。フランジ４５が強磁性材料を組み込む場合、フランジ６５は永久磁石を組み込む。フランジ４５が永久磁石を組み込む場合、フランジ６５は強磁性材料を組み込む。フランジ４５およびフランジ６５はまた両方が永久磁石を組み込むこともできる。両方のフランジが永久磁石を組み込む場合、永久磁石は、それらの逆の性質の極が向かい合って引きつけ合うように案配される。
【００４８】
フランジ４５は、利用者の余分な働きや力なしで、雌型機構６０の中に雄型構成要素４１を自動的に挿入することを可能にする引きつける力を、フランジ６５へかける（またはその逆）。雄型構成要素４１が雌型機構６０の中に差し込まれるとすぐに、接続はおのずから成され、フランジ４５がフランジ６５に接触して止まるようにまでなる。フランジ４５、６５が互いに接触して寄りかかっているとき、磁化力は、雌型機構６０内での雄型構成要素４１の適切な位置への保持を保証し、時ならぬ引き抜きの際のケーブル４の接続切断リスクを減らすことをこうして可能にする。フランジ４５と６５との間の１ｋｇと３ｋｇとの間に含まれる付着力（すなわち約１０〜３０ニュートン）で、ケーブル４の時ならぬ接続切断リスクの減少と前記ケーブルの容易な自発的な接続切断との間の良好な妥協点が得られる。
【００４９】
図３で、接合用ブロック７は、圧力計一体型送気球ＭＰの殻構造５３の内側の、軸に沿った中繰部の中に設置されている。この接合用ブロック７は、送気球３と、圧力計５と、制御装置３０のバルブ３１と、チューブ４の接続機構６との間の流体連通を保証する。この接合用ブロック７は、もし必要なら当業者が参照することができるであろう仏国特許出願公開第３０５１３４４号明細書（ＳＰＥＮＧＬＥＲ）中に記載の接合用ブロックに類似している。
【００５０】
このブロック７は、円筒形の一般的な外側形状を有している。該ブロックは有利には硬質材料、好ましくはＡＢＳのようなプラスチックまたはイノックスのような金属で製作される。該ブロックは、空気の循環を許可する輸送管７１を形成するように軸に沿って穿孔されている。ブロック７は例えば、０．２ｃｍと１ｃｍとの間に含まれる内径と０．４ｃｍと１．５ｃｍとの間に含まれる外径とをもつ。その長さは例えば、１ｃｍと３ｃｍとの間に含まれる。
【００５１】
輸送管７１は、接続機構６が案配されるところである第一の端と、カフ１の空気抜きバルブ３１が中に差し込まれる第二の端とを有する。
【００５２】
ブロック７はまた、圧力計一体型送気球ＭＰの垂直軸Ａ−Ａに沿って広がりかつ輸送管７１と流体連通する中繰部７２も有する。この中繰部７２は、送気球３と流体連通する下端と、圧力計５の測定用チャンバーと流体連通する上端とを有する。
【００５３】
図３、図４、図５および図６ａで、接続機構６は、ブロック７の第一の端の中に挿入される、境界面の嵌め込み部品である。その組立を単純化するために、この境界面の部品６は好ましくは、ブロック７の第一の端の中にねじ留めされる。溶接または力ずくでの嵌め合わせによる解決案がしかしながら想定可能であるが、これらの解決案は、余分な工具類および／または余分なステップを必要とするという不都合を有する。
【００５４】
ねじ留めによる解決案において、境界面の部品６は、ブロック７の内面壁の、その第一の端のところに実現される相補的なねじ切り部７００の中に係合する外側のねじ切り部６００を有しまた軸に沿って穿孔された円筒体を有する。このねじ切りされた円筒体は、その端のうちの一つのところで、フランジ６５を支える。境界面の部品６はブロック７の中に、フランジ６５の後面がブロック７の第一の端に接触して止まるようになるまで挿入される。
【００５５】
図６ｂは、接続機構６が、ブロック７の不可欠な一部を成し、またブロックとともに単一成型部品を形成している実施変形例を示している。フランジ６５はこの場合、ブロックの第一の端のところに位置する、ブロック７の不可欠な一部である。
【００５６】
図３〜５および図６ｂで、ブロック７は、雄型ノズル４１と協働する少なくとも１つの環状パッキン７３を備えており、前記雄型構成要素と前記接合用ブロックとの間の気密性を保証する。この気密パッキン７３は、ブロック７の軸に沿った中繰部の中に配置される。この気密パッキンは、前記中繰部の内面壁中にこのために準備される専用の溝の中に収容されることもできるし、または接続機構６を形成する境界面の部品によって適切な位置に保持されることもできる。パッキン７３は好ましくはゴムで製作されるが、しかし例えばシリコーンといった、他の材料で製作されることもまた可能である。図６ａに示される実施変形例において、パッキン７３は、雌型の接続用孔６０の中に直接組み込まれており、雄型構成要素４１と前記雌型の孔との間の気密性を保証する。
【００５７】
図８および図９は、チューブ４の第一の端４ａがカフ１に取外し可能に接続される場合を示しており、このチューブは、圧力計一体型送気球ＭＰと前記カフとの間の直接の連絡を保証する。接続機構６はこの場合、カフ１の中に取り付けられ、またより具体的には突起部１１の中に整備される。カフ１の膨張式袋と流体連通するその雌型の孔６０は、第一の端４ａの雄型ノズル４１を取外し可能に受け入れるように適合されている。
【００５８】
突起部１１は、境界面の部品１２の上に突き出て加工され、該境界面の部品は、カフ１の雌型の孔６０と膨張式袋との間の境界面の役を務める。突起部１１は有利には硬質材料、プラスチックまたは金属で製作される。突起部はしかしながら、半硬質プラスチック材料または軟質プラスチック材料で製作されることができる。
【００５９】
雌型機構６０の入口が整備される突起部１１の面は、雄型ノズル４１のフランジ４５と磁化によって協働する、接続機構６の部分６５に相当する。したがって、部分６５は先に記述されたように、フランジ４５が強磁性材料で製作される場合においてまたは前記フランジ４５が同様に永久磁石を組み込む場合において、永久磁石を組み込むことができる。部分６５は、フランジ４５が永久磁石を組み込む場合において、強磁性材料で製作されることがさらに可能である。
【００６０】
台板の形をした、盛り上がった整備部１３は、雌型の孔６０の前にかつ雌型の孔のＹ−Ｙ軸内に設置される。この台板１３は、チューブ４の雄型ノズル４１を適切な位置に誘導することを可能にする。この台板１３はまた、境界面の部品１２を堅くして補強することも可能にする。その長さは例えば１ｃｍと５ｃｍとの間に含まれ、その幅は好ましくは突起部１１の幅に相当し、またその厚みは例えば２ｍｍと１ｃｍとの間に含まれる。この台板１３は、ノズル４１の誘導を容易にするようにＹ軸における窪みを有することができる。
【００６１】
本発明の対象になるシステムの利用をこれから詳細に記述していく。医師は、カフ１、チューブ４および圧力計一体型送気球ＭＰを自由に使える。
【００６２】
医師が圧力計一体型送気球を利用する必要があるとき、医師は患者の上腕の周りに適合したサイズのカフ１を位置づけるだけでよい。医師は次に、チューブの第一の端４ａが前記カフにすでに連動している状態（図１）でないならば、チューブ４の雄型ノズル４１のうちの１つをカフ１の雌型の接続用孔６０の中に接続する（図９）。チューブ４の第二の端４ｂの雄型ノズル４１は、例えば指針式の圧力計５を伴う、かつ／または特定モデルもしくは特定メーカーの、医師が選んだ圧力計一体型送気球ＭＰの雌型の接続用孔６０の中に接続される。
【００６３】
医師が他の（例えばデジタル表示式の圧力計５を伴う、かつ／または他のモデルもしくは他のメーカーの）圧力計一体型送気球を利用する必要があるとき、医師は、第二の端４ｂの雄型ノズル４１を圧力計一体型送気球ＭＰの雌型の接続用孔６０から外して接続切断するだけでよい。医師は次に、この雄型ノズル４１を、別の圧力計一体型送気球ＭＰの雌型の接続用孔６０の中に再び接続する。
【００６４】
医師はまた、その圧力計一体型送気球ＭＰを残しておきつつ、別のカフ１を利用することも容易にできる。
【００６５】
チューブ４の第一の端４ａが取り替えるべきカフ１に連動している場合（図１の機器構成）、医師は、第二の端４ｂの雄型ノズル４１を圧力計一体型送気球ＭＰの雌型の接続用孔６０から外して接続切断するだけでよい。医師は次に、より適合したサイズの別のカフ１につながれているチューブ４の第二の端４ｂの雄型ノズル４１を、圧力計一体型送気球ＭＰの雌型の接続用孔６０の中に再び接続する。
【００６６】
チューブ４の第一の端４ａが取り替えるべきカフ１に取外しのできるように接続されている場合（図８および図９の機器構成）、医師は、第一の端４ａの雄型ノズル４１を前記カフの雌型の接続用孔６０から外して接続切断するだけでよい。医師は次に、この雄型ノズルを、より適合したサイズの別のカフ１の雌型の接続用孔６０の中に再び接続する。チューブ４の第二の端４ｂの雄型ノズル４１は、圧力計一体型送気球ＭＰの雌型の接続用孔６０の中に接続されたままである。
【００６７】
上に記述された実施形態における、本発明の様々な構成要素および／または様々な手段および／または様々なステップの案配を、あらゆる実装においてそのような案配を要求するものと理解してはならない。いずれにしても、本発明の趣旨およびその適用範囲から逸脱することなく、これらの構成要素および／または手段および／またはステップに、とりわけ以下のような、いろいろな変更がもたらされ得ることが理解されるであろう：
−カフ１は、上腕、手首、脚などのような、患者の適切な肢の周りに設置されることができる、
−例えばピストンポンプあるいはまた歯車ポンプといった、送気球よりも複雑な膨張手段３が利用されることができる、
−内側のノズル４２および外側のノズル４１は、別々に製造されて、例えばねじ留めによってまたは溶接法もしくは接着法のおかげで、後でそれらの間で互いに組み立てられることができる、
−外側の雄型ノズル４１を構成する円筒の切断面は、必ずしも円形ではなく、それは例えば正方形、矩形あるいはまた楕円形であり得る、
−カフ１は、境界面の部品１２を必ずしも有しない。雌型の孔６０は例えば、膨張式袋の中に直接案配され得る。突起部１１もまた、膨張式袋に直接つながれ得る。
【符号の説明】
【００６８】
１  カフ
３  膨張手段
４  チューブ
４ａ  第一の端
４ｂ  第二の端
５  圧力計
６  接続機構
７  接合用ブロック
１１  突起部
３０  制御装置
３１  バルブ
４０  接続手段
４１、４２  ノズル
４３  パイプ
４４  留め具用つば
４５、６５  フランジ
６０  雌型の孔
７１  輸送管
７２  中繰部
７３  パッキン
ＭＰ  圧力計一体型送気球
【図１】
2022502188.tif 000003
【図２】
2022502188.tif 000004
【図３】
2022502188.tif 000005
【図４】
2022502188.tif 000006
【図５】
2022502188.tif 000007
【図６ａ】
2022502188.tif 000008
【図６ｂ】
2022502188.tif 000009
【図７】
2022502188.tif 000010
【図８】
2022502188.tif 000011
【図９】
2022502188.tif 000012
【国際調査報告】
2022502188.tif 000013
2022502188.tif 000014
2022502188.tif 000015
2022502188.tif 000016